(57)【要約】【課題】記憶させたデータを非接触で読み取ることができる半導体チップを応用して、半導体チップから読み出したデータを用いて画像処理を行う。【解決手段】画像形成装置は、原稿用紙４０が蓄積される原稿台１８２の近傍にＩＣチップＩＦ２８を備え、原稿用紙４０が原稿台１８２に載せられたことを条件として、原稿台１８２に載せられている１枚以上の原稿用紙４０に付されたＩＣチップ３からデータを読み出し、ＩＣチップ３から読み出されたデータを用いて、原稿用紙４０から読み取られた画像データを処理する。【選択図】　　　　　図４
2004086708.tif 000002
【特許請求の範囲】
【請求項１】
画像が表示された画像表示部材と、画像処理装置とを有する画像処理システムであって、
前記画像表示部材は、
外部に提供するデータおよび外部から書き込まれるデータまたはこれらのいずれかを記憶するデータ記憶装置
を有し、
前記画像処理装置は、
前記表示された画像を読み取る画像読取手段と、
前記記憶されたデータの読出しおよびデータの書込みまたはこれらのいずれかを行うデータ入出力手段と
を有する
画像処理システム。
【請求項２】
画像が表示された画像表示部材を用いて画像処理を行う画像処理装置であって、前記画像表示部材は、外部に提供するデータおよび外部から書き込まれたデータまたはこれらのいずれかを記憶し、
前記表示された画像を読み取る画像読取手段と、
前記記憶されたデータの読出しおよびデータの書込みまたはこれらのいずれかを行うデータ入出力手段と
を有する画像処理装置。
【請求項３】
前記読み出されたデータに基づいて、前記読み取られた画像を処理する画像処理手段
をさらに有する請求項２に記載の画像処理装置。
【請求項４】
前記画像表示部材を蓄積する原稿蓄積手段と、
前記蓄積された画像表示部材を、画像が読み取られる位置に搬送する搬送手段と
をさらに有し、
前記データ入出力手段は、前記原稿蓄積手段に蓄積された画像表示部材に対して、前記データの読出しおよび前記データの書込みまたはこれらのいずれかを行う
請求項２に記載の画像処理装置。
【請求項５】
前記データ入出力手段は、２つ以上の前記画像表示部材が蓄積されている場合に、前記２つ以上の画像表示部材に対して、前記データの読出しおよび前記データの書込みまたはこれらのいずれかを行う
請求項４に記載の画像処理装置。
【請求項６】
前記データ入出力手段は、前記画像表示部材が蓄積されている時に、前記記憶されたデータの読出しを行い、
前記読み出されたデータを表示する表示手段
をさらに有する請求項４に記載の画像処理装置。
【請求項７】
画像が読み取られる位置まで、前記画像表示部材を搬送する搬送手段
をさらに有し、
前記データ入出力手段は、前記搬送されている画像表示部材に対して、前記データの読出しおよび前記データの書込みまたはこれらのいずれかを行う
請求項２に記載の画像処理装置。
【請求項８】
画像が読み取られる位置に、前記画像表示部材を固定する固定手段
をさらに有し、
前記データ入出力手段は、前記固定された画像表示部材に対して、前記データの読出しおよび前記データの書込みまたはこれらのいずれかを行う
請求項２に記載の画像処理装置。
【請求項９】
画像が表示された画像表示部材を用いる画像処理方法であって、前記画像表示部材は、外部に提供するデータおよび外部から書き込まれるデータまたはこれらのいずれかを記憶し、
前記記憶されたデータの読出しおよびデータの書込みまたはこれらのいずれかを行い、
前記表示された画像を読み取る
画像処理方法。
【請求項１０】
画像が表示された画像表示部材と、コンピュータを含む画像処理装置とを有する画像処理システムにおいて、前記画像表示部材は、外部に提供するデータおよび外部から書き込まれるデータまたはこれらのいずれかを記憶し、
前記表示された画像を読み取るステップと、
前記記憶されたデータの読出しおよびデータの書込みまたはこれらのいずれかを行うステップと
を前記画像処理装置のコンピュータに実行させるプログラム。
【発明の詳細な説明】
【０００１】
【発明の属する技術分野】
本発明は、原稿に付された非接触メモリを用いて、原稿から読み取られた画像を処理する画像処理システムおよびその方法に関する。
【０００２】
【従来の技術】
例えば、「ＭＹＣＯＭ　ＰＣ　ＷＥＢ，　ＮＥＷＳ　ＨＥＡＤＬＩＮＥ，　（２００２年７月５日；　ｈｔｔｐ：／／ｐｃｗｅｂ．ｍｙｃｏｍ．ｃｏ．ｊｐ／ｎｅｗｓ／２００１／０７／０５／２２．ｈｔｍｌ）」（文献１）は、記憶したデータを、外部から非接触で読み取ることができる小型の半導体チップ（「ミューチップ」）を開示する。
また、「特開２００１−２２９１９９号公報」、「特開２０００−２８５２０３号公報」、「特開２００１−１３４６７２号公報」、「特開２００１−２８３０１１号公報」、「特開２００１−１４８０００号公報」および「特開２００１−２６０５８０号公報」（文献２〜８）は、上述の半導体チップの応用例を開示する。
【０００３】
【発明が解決しようとする課題】
本発明は、上述した背景からなされたものであり、記憶させたデータを非接触で読み取ることができる半導体チップを応用して、画像が表示された画像表示部材に対して、データの読出しおよび書込みまたはこれらのいずれかを行うことができる画像処理システムおよびその方法を提供することを目的とする。
【０００４】
【課題を解決するための手段】
［画像処理システム］
上記目的を達成するために、本発明にかかる画像処理システムは、画像が表示された画像表示部材と、画像処理装置とを有する画像処理システムであって、前記画像表示部材は、外部に提供するデータおよび外部から書き込まれるデータまたはこれらのいずれかを記憶するデータ記憶装置を有し、前記画像処理装置は、前記表示された画像を読み取る画像読取手段と、前記記憶されたデータの読出しおよびデータの書込みまたはこれらのいずれかを行うデータ入出力手段とを有する。
【０００５】
好適には、前記画像処理装置は、前記読み出されたデータに基づいて、前記読み取られた画像を処理する画像処理手段をさらに有する。
【０００６】
好適には、前記画像処理装置は、前記画像表示部材を蓄積する原稿蓄積手段と、前記蓄積された画像表示部材を、画像が読み取られる位置に搬送する搬送手段とをさらに有し、前記データ入出力手段は、前記原稿蓄積手段に蓄積された画像表示部材に対して、前記データの読出しおよび前記データの書込みまたはこれらのいずれかを行う。
【０００７】
好適には、前記データ入出力手段は、２つ以上の前記画像表示部材が蓄積されている場合に、前記２つ以上の画像表示部材に対して、前記データの読出しおよび前記データの書込みまたはこれらのいずれかを行う。
【０００８】
好適には、前記データ入出力手段は、前記画像表示部材が蓄積されている時に、前記記憶されたデータの読出しを行い、前記画像処理装置は、前記読み出されたデータを表示する表示手段をさらに有する。
【０００９】
好適には、前記画像処理装置は、画像が読み取られる位置まで、前記画像表示部材を搬送する搬送手段をさらに有し、前記データ入出力手段は、前記搬送されている画像表示部材に対して、前記データの読出しおよび前記データの書込みまたはこれらのいずれかを行う。
【００１０】
好適には、前記画像処理装置は、画像が読み取られる位置に、前記画像表示部材を固定する固定手段をさらに有し、前記データ入出力手段は、前記固定された画像表示部材に対して、前記データの読出しおよび前記データの書込みまたはこれらのいずれかを行う。
【００１１】
好適には、前記データ入出力手段は、前記画像表示部材が固定されたことを条件として、前記データの読出しおよび前記データの書込みまたはこれらのいずれかを開始する。
【００１２】
［画像処理装置］
また、本発明にかかる画像処理装置は、上記いずれかの画像処理システムの画像処理装置である。
【００１３】
［画像処理方法］
また、本発明にかかる画像処理方法は、画像が表示された画像表示部材を用いる画像処理方法であって、前記画像表示部材は、外部に提供するデータおよび外部から書き込まれるデータまたはこれらのいずれかを記憶し、前記記憶されたデータの読出しおよびデータの書込みまたはこれらのいずれかを行い、前記表示された画像を読み取る。
【００１４】
［プログラム］
また、本発明にかかるプログラムは、画像が表示された画像表示部材と、コンピュータを含む画像処理装置とを有する画像処理システムにおいて、前記画像表示部材は、外部に提供するデータおよび外部から書き込まれるデータまたはこれらのいずれかを記憶し、前記表示された画像を読み取るステップと、前記記憶されたデータの読出しおよびデータの書込みまたはこれらのいずれかを行うステップとを前記画像処理装置のコンピュータに実行させる。
【００１５】
【発明の実施の形態】
［概要］
まず、本発明の概要を説明する。
図１（Ａ）は、本発明にかかる画像処理方法においてコピー装置１（図２を参照して後述）が画像を読み取る原稿用紙４０（画像表示部材）を例示し、図１（Ｂ）は、（Ａ）で例示した原稿用紙４０に基づいてコピー装置１が印刷した印刷用紙４２を例示する。
図１（Ａ）に示すように、原稿用紙４０には、原稿画像が表示され、さらに、ＩＣチップ３（データ記憶装置）が付されている。
ＩＣチップ３は、電波を用いて非接触にデータの読み出しが可能な半導体であり、原稿画像が示す情報に対して付加的な情報（以下、付加情報）を記憶する。
【００１６】
図１（Ｂ）に示すように、コピー装置１（図２を参照して後述）は、図１（Ａ）に例示した原稿用紙４０から読み取った原稿画像と、ＩＣチップ３から読み出した付加情報とを印刷用紙４２に印刷する。
このように、本発明にかかる画像処理方法では、コピー装置１が、原稿用紙４０の表面から読み取られた画像と、原稿用紙４０に付されたＩＣチップ３から読み出された付加情報とを用いて、画像を形成する。
【００１７】
［実施例］
以下、本発明にかかる画像処理方法の実施例を、より具体的な例を挙げて、詳細に説明する。
図２は、コピー装置１（画像処理装置）のハードウェア構成を、その制御装置２を中心に例示する図である。
図２に示すように、コピー装置１は、制御装置２および第１のコピー装置本体１０から構成される。
制御装置２は、ＣＰＵ２０２およびメモリ２０４などを含む制御装置本体２０、通信装置２２、ＨＤＤ・ＣＤ装置などの記録装置２４、ＬＣＤ表示装置あるいはＣＲＴ表示装置およびキーボード・タッチパネルなどを含むユーザインターフェース装置（ＵＩ装置）２６、および、アンテナ２８０を有するＩＣチップインターフェース（ＩＣチップＩＦ）２８（データ入出力手段）から構成される。
【００１８】
［コピー装置本体１０］
図３は、図２に示した第１のコピー装置本体１０のハードウェア構成を例示する図である。
図３に示すように、コピー装置本体１０は、用紙トレイ部１２、ゼログラフィなどにより画像を印刷用紙４２（図１（Ｂ））に印刷するプリントエンジン１４、原稿用紙４０の画像を読み取るスキャナ１６、および、原稿用紙４０（図１（Ａ））を送る第１の原稿送り装置１８などから構成される。
また、コピー装置本体１０において、ＩＣチップＩＦ２８およびアンテナ２８０は、原稿送り装置１８に配設され、ＵＩ装置２６は、コピー装置本体１０の上部に配設される。
つまり、コピー装置１は、原稿送り装置１８を送られる原稿用紙４０の画像を読み取って印刷する一般的なコピー装置に、ＩＣチップＩＦ２８およびアンテナ２８０が付加されたハードウェア構成を採る。
なお、制御装置２（図１）は、図２に示すように、実際にはコピー装置本体１０の内部に収容される。
【００１９】
［原稿送り装置１８］
図４は、図３に示した第１の原稿送り装置１８の構成をより詳細に説明する図である。
図４に示すように、原稿送り装置１８は、原稿用紙４０（図１（Ａ））を蓄積する原稿台１８２（原稿蓄積手段）、蓄積された原稿用紙４０を留めておく原稿留め１８３、原稿用紙４０が蓄積されていることを検知する原稿検知センサ１８４、蓄積されている原稿用紙４０を送り出す紙送りローラ１８６（搬送手段）、送り出されてきた原稿用紙４０をスキャナ１６の位置まで搬送する搬送ローラ１８８などから構成される。
ＩＣチップＩＦ２８およびアンテナ２８０は、原稿台１８２の原稿を蓄積する面の近傍に配設される。
【００２０】
原稿台１８２は、傾斜面を有し、原稿留め１８３は、原稿台１８２の傾斜面を滑り落ちる原稿用紙４０を留める。
つまり、原稿用紙４０は、原稿用紙４０の一端が原稿留め１８３の位置で揃えられて、原稿台１８２上に蓄積される。
【００２１】
原稿検知センサ１８４は、原稿台１８２の傾斜面の下端近傍に配設されて、原稿台１８２上の物体の有無を検知する。
ＩＣチップＩＦ２８は、原稿検知センサ１８４が原稿用紙４０を検知したことを条件に、原稿用紙４０に付されたＩＣチップ３（図１（Ａ））に対して、データの読出しおよびデータの書込みを開始する。
【００２２】
紙送りローラ１８６は、原稿台１８２の傾斜面の下端近傍に配設され、ローラを回転させて原稿台１８２上に蓄積された原稿用紙４０を、上から順に１枚ずつ搬送ローラ１８８の位置まで送り出す。
搬送ローラ１８８は、原稿用紙４０が搬送される搬送路の近傍に配設され、ローラを回転させて、原稿台１８２から送り出されてきた原稿用紙４０を、スキャナ１６が画像を読み取る位置まで搬送する。
【００２３】
［ＩＣチップ３・ＩＣチップＩＦ２８］
図５は、図１（Ａ）に示したＩＣチップ３の構成を示す図である。
図６は、図２、図３、図４に示したＩＣチップＩＦ２８の構成を示す図である。
図５に示すように、ＩＣチップ３は、アンテナ３００、クロック再生回路３２０、メモリ回路３２２、データ送受信回路３２４および電源回路３２６から構成される。
なお、原稿用紙４０のＩＣチップ３が、アンテナ２８０のごく近傍を通過することが保証されている場合には、アンテナ３００を有さないＩＣチップ３が用いられる場合がある。
【００２４】
また、図６に示すように、ＩＣチップＩＦ２８は、送信回路２８４、受信回路２８６、送受信制御回路２８２、復調回路２８８および変調回路２９０から構成される。
以下に説明するＩＣチップ３およびＩＣチップＩＦ２８の各構成部分の動作により、ＩＣチップＩＦ２８を介して、ＩＣチップ３に情報（データ）が非接触で書き込まれ、ＩＣチップ３に記憶された情報が非接触で読み取られる。
【００２５】
ＩＣチップ３（図５）において、電源回路３２６は、アンテナ３００を介して供給される電波信号を整流して、ＩＣチップ３の各構成部分に対して、それらの動作に必要な電力を供給する。
【００２６】
クロック再生回路３２０は、アンテナ３００を介してＩＣチップＩＦ２８から供給される電波信号から、クロック信号を再生し、メモリ回路３２２およびデータ送受信回路３２４に対して出力する。
【００２７】
メモリ回路３２２は、例えば不揮発性のＲＡＭであって、クロック再生回路３２０から入力されたクロック信号に同期して、データ送受信回路３２４から入力される情報を示すデータを記憶する。
また、メモリ回路３２２は、上記クロック信号に同期して、記憶した情報を示すデータを、データ送受信回路３２４に対して出力する。
なお、説明の具体化・明確化のために、本実施形態においては、ＩＣチップ３が原稿用紙４０に付される段階で、付加情報がメモリ回路３２２に記憶されている場合を具体例とする。
【００２８】
データ送受信回路３２４は、アンテナ３００から入力される電波信号からデータを復調し、クロック再生回路３２０から入力されるクロック信号に同期して、メモリ回路３２２に対して出力する。
また、データ送受信回路３２４は、メモリ回路３２２から入力されるデータの値に従って、ＩＣチップＩＦ２８側から供給される電波信号の反射強度を、上記クロック信号に同期して変更する。
このように、メモリ回路３２２が記憶した情報を示すデータは、ＩＣチップＩＦ２８からＩＣチップ３に対して送信された電波信号の反射信号の強度を変更することにより、ＩＣチップ３からＩＣチップＩＦ２８に対して送信される。
【００２９】
ＩＣチップＩＦ２８（図６）において、送受信制御回路２８２は、ＩＣチップＩＦ２８の各構成部分の動作を制御する。
また、送受信制御回路２８２は、制御装置本体２０（画像処理プログラム５；図７を参照して後述）から入力されるデータを、復調回路２８８に対して出力する。
また、送受信制御回路２８２は、受信回路２８６により受信され、復調回路２８８により復調されたデータを、制御装置本体２０に対して出力する。
【００３０】
変調回路２９０は、送受信制御回路２８２から入力されるデータで電波信号を変調し、送信回路２８４に対して出力する。
【００３１】
送信回路２８４は、ＩＣチップ３に記憶させるデータおよびクロック信号などを含む電波信号を、アンテナ２８０を介して、ＩＣチップ３に対して送信する。
【００３２】
受信回路２８６は、ＩＣチップ３側からの反射信号を受信し、復調回路２８８に対して出力する。
【００３３】
復調回路２８８は、受信回路２８６から入力される反射信号の変化から、ＩＣチップ３が送信したデータを復調し、送受信制御回路２８２に対して出力する。
【００３４】
［画像処理プログラム５］
図７は、制御装置２（図２，図３）により実行され、本発明にかかる画像処理方法を実現する画像処理プログラム５の構成を示す図である。
図７に示すように、画像処理プログラム５は、画像読取部５００、ＵＩ部５１０、検知部５２０、データ入出力部５３０、画像処理部５４０および印刷部５５０から構成される。
画像処理プログラム５は、原稿用紙４０から読み取られた画像と、ＩＣチップ３から読み出されたデータとを用いて画像を印刷する。
画像処理プログラム５は、例えば記録媒体２４０（図２）を介して制御装置２に供給され、メモリ２０４にロードされて実行される。
【００３５】
画像処理プログラム５において、画像読取部５００は、スキャナ１６（図３、図４）および原稿送り装置１８（図３、図４）などコピー装置本体１０の構成部分を制御して、原稿用紙４０（図１（Ａ））を搬送し、搬送された原稿用紙４０の原稿画像を読み取る。
【００３６】
ＵＩ部５１０は、ＵＩ装置２６（図２、図３）に対するユーザの操作を受け入れ、印刷開始などを示すデータを画像処理部５４０などに対して出力する。
また、ＵＩ部５１０は、ＩＣチップ３から読み出した付加情報を、ＵＩ装置２６に表示する。
【００３７】
検知部５２０は、原稿検知センサ１８４（図４）を制御して、原稿用紙４０が原稿台１８２に蓄積されていることを検知させる。
検知部５２０は、原稿用紙４０が検知されると、データの読出しをデータ入出力部５３０に対して指示する。
【００３８】
データ入出力部５３０は、検知部５２０が原稿用紙４０を検知すると、ＩＣチップＩＦ２８（図４）を制御して、原稿用紙４０に付されたＩＣチップ３（図１（Ａ））から付加情報のデータを読み出させる。
また、原稿台１８４（図４）に原稿用紙４０が２枚以上載せられている場合には、データ入出力部５３０は、２枚以上の原稿用紙４０それぞれに付されたＩＣチップ３から付加情報のデータを読み出させる。
【００３９】
画像処理部５４０は、画像読取部５００から受け取った原稿画像のデータと、データ入出力部５３０から受け取った付加情報のデータとを合成し、印刷部５５０に対して出力する。
【００４０】
印刷部５５０は、プリントエンジン１４（図３）などを制御して、画像処理部５４０から入力されたデータを、印刷用紙４２（図１（Ｂ））に印刷させる。
【００４１】
［全体動作］
以下、コピー装置１の全体的な動作を説明する。
図８は、コピー装置１（画像処理プログラム５）の第１の動作（Ｓ１０）を示すフローチャートである。
図８に示すように、ステップ１００（Ｓ１００）において、ユーザが、原稿台１８２（図４）に原稿用紙４０を置くと、検知部５２０（図７）は、原稿検知センサ１８４（図４）を制御して、原稿用紙４０が原稿台１８２に載せられたことを検知し、原稿用紙４０が載せられている旨をデータ入出力部５３０に対して出力する。
【００４２】
ステップ１０２（Ｓ１０２）において、データ入出力部５３０（図７）は、原稿用紙４０が載せられている旨を受け取ると、ＩＣチップＩＦ２８（図４）を制御して、原稿台１８２（図４）に蓄積された原稿用紙４０のＩＣチップ３から付加情報のデータを読み出させる。
なお、原稿台１８４に原稿用紙４０が２枚以上載せられている場合には、データ入出力部５３０は、２枚以上の原稿用紙４０それぞれに付されたＩＣチップ３それぞれから同時に付加情報のデータを読み出させる。
【００４３】
ステップ１０４（Ｓ１０４）において、ＵＩ部５１０（図７）は、ＵＩ装置２６（図２、図３）を制御して、ＩＣチップ３から読み出された付加情報を表示させる。
ユーザは、ＵＩ装置２６に表示された付加情報を確認し、必要があれば、ＵＩ装置２６を操作して、ＩＣチップ３が記憶する付加情報を書き換えることができる。
【００４４】
ステップ１０６（Ｓ１０６）において、ＵＩ部５１０（図７）は、ＵＩ装置２６（図２、図３）を介して、ユーザが印刷を指示する操作を、所定の期間受け付ける。
画像処理プログラム５は、所定の期間内にユーザから印刷を指示する操作を受け付けた場合にはＳ１０８の処理に進み、これ以外の場合にはＳ１１６の処理に進む。
【００４５】
ステップ１０８（Ｓ１０８）において、画像読取部５００（図７）は、原稿送り装置１８（図３、図４）を制御して、原稿台１８２（図４）に蓄積された原稿用紙４０の搬送を開始させる。
【００４６】
ステップ１１０（Ｓ１１０）において、画像読取部５００は、スキャナ１６（図３、図４）を制御して、原稿送り装置１８により搬送されてきた原稿画像４０から原稿画像を読み取らせる。
【００４７】
ステップ１１２（Ｓ１１２）において、画像処理部５４０（図７）は、画像読取部５００から入力される原稿画像のデータと、データ読取部５２０から入力される付加情報のデータとを合成し、合成の結果として得られた画像データを、印刷部５４０に対して出力する。
【００４８】
ステップ１１４（Ｓ１１４）において、印刷部５５０（図７）は、プリントエンジン１４（図３）などを制御し、画像処理部５４０から入力された画像データを印刷する。
【００４９】
ステップ１１６（Ｓ１１６）において、画像処理プログラム５は、エラー処理を行う。
このエラー処理の例としては、コピー装置１（図２）が、所定期間に印刷処理が指示されなかったので省エネモードに移行する旨を、ＵＩ装置２６に表示させて、画像処理プログラム５が処理を初期化する例などが挙げられる。
【００５０】
このように、コピー装置１は、原稿台１８２に配設されたＩＣチップＩＦ２８およびアンテナ２８０を用いて、原稿用紙４０に付されたＩＣチップ３から付加情報を読み出し、読み出された付加情報を用いて画像処理を行うことができる。
【００５１】
［変形例１］
なお、図４に示したＩＣチップＩＦ２８およびアンテナ２８０は、原稿用紙４０が搬送される搬送路の近傍に配設されてもよい。
この変形例におけるＩＣチップＩＦ２８は、搬送路を搬送されている原稿用紙４０のＩＣチップ３に対して、データの読出しおよびデータの書込みを行う。
【００５２】
図９は、第２の原稿送り装置１８０の構成を説明する図である。
図９に示すように、第２の原稿送り装置１８０において、ＩＣチップＩＦ２８およびアンテナ２８０は、原稿台１８２から送り出された原稿用紙４０が搬送されてくる搬送路１５の近傍に配設される。
つまり、第２の原稿送り装置１８０におけるＩＣチップＩＦ２８は、搬送路１５を順に搬送されてくる原稿用紙４０のＩＣチップ３に対して、データの読出しおよびデータの書込みを行う。
なお、原稿送り装置１８０の各構成部分の内、原稿送り装置１８の各構成部分と実質的に同一な部分には同一の符号が付してある。
【００５３】
原稿検知センサ１８４は、搬送路１５の近傍に配設されて、搬送路１５を搬送される原稿用紙４０の有無を検知する。
ＩＣチップＩＦ２８は、原稿検知センサ１８４が原稿用紙４０を検知したことを条件に、原稿用紙４０に付されたＩＣチップ３（図１（Ａ））に対して、データの読出しおよびデータの書込みを開始する。
【００５４】
図１０は、コピー装置１（画像処理プログラム５）の第２の動作（Ｓ１２）を示すフローチャートである。
なお、図１０に示した各処理の内、図８に示した処理と実質的に同一なものには、同一の符号が付してある。
コピー装置１の第２の動作においては、ステップ１０８（Ｓ１０８）において、ユーザがＵＩ装置（図２、図３）に対して印刷を指示する操作を行うと、ＵＩ部５１０（図７）は、画像読取部５００に対して、原稿用紙４０の搬送および画像読取を指示する。
画像読取部５００は、原稿送り装置１８０（図９）を制御して、原稿台１８２（図９）に載せられていた原稿用紙４０を一枚ずつ搬送路１５に送り出す。
【００５５】
ステップ１１８（Ｓ１１８）の処理において、検知部５２０（図７）が、原稿検知センサ１８４（図９）を制御して、搬送されてくる原稿用紙４０を検知すると、ステップ１２０（Ｓ１２０）の処理において、データ入出力部５３０は、搬送されてきた原稿用紙４０のＩＣチップ３から付加情報のデータを読み出す。
【００５６】
Ｓ１１０において、搬送されてきた原稿用紙４０から原稿画像が読み取られると、Ｓ１１２において、画像処理部５４０（図７）は、同一の原稿用紙４０から読み取られた原稿画像のデータと付加情報のデータとを合成する。
【００５７】
このように、ＩＣチップＩＦ２８およびアンテナ２８０が搬送路１５の近傍に配設されると、コピー装置１は、搬送されてくる原稿用紙４０ごとにデータの読出しおよびデータの書込みを行うことができるため、読み出したデータまたは書き込むデータを、原稿用紙４０それぞれに対応付けることができる。
【００５８】
［変形例２］
また、図４に示したＩＣチップＩＦ２８およびアンテナ２８０は、原稿用紙４０に被せるプラテンカバーに配設されてもよい。
この変形例におけるＩＣチップＩＦ２８およびアンテナ２８０は、原稿用紙４０にプラテンカバーを被せているときにデータの読出しおよびデータの書込みを行う。
【００５９】
図１１は、第２のコピー装置本体１０２の外観を説明する図である。
図１１に示すように、コピー装置本体１０２には、スキャナ１６の筐体上面にプラテンガラス１６２および開閉センサ１６６が配設され、さらに、スキャナ１６の筐体上面の端部で接続するプラテンカバー１６４（固定手段）が配設される。
なお、コピー装置本体１０２の各構成部分の内、コピー装置本体１０の構成部分と実質的に同一な部分には同一の符号が付してある。
【００６０】
プラテンカバー１６４の端部とスキャナ１６の筐体の端部とはヒンジで接続され、プラテンカバー１６４は、スキャナ１２の筐体上面に被せて閉じたり、スキャナ１６の筐体上面から離して開いたりすることができる。
プラテンカバー１６４は、プラテンカバー１６４を閉めた場合にスキャナ１６の筐体上面と係合する面の近傍に、ＩＣチップＩＦ２８およびアンテナ２８０を有する。
【００６１】
原稿用紙４０の画像が読み取られるときは、プラテンカバー１６４は閉じられ、プラテンガラス１６２およびプラテンカバー１６４が、原稿用紙４０を挟み、この原稿用紙４０を固定する。
開閉センサ１６６は、プラテンカバー１６４の開閉を検知する。
【００６２】
図１２は、図１１に示したコピー装置本体１０２のプラテンカバー１６４を閉めた場合のスキャナ１６およびプラテンカバー１６４の縦断面を説明する図である。
図１２に示すように、スキャナ１６の筐体内部には、画像を読み取るスキャナヘッド１６０が設けられている。
【００６３】
プラテンガラス１６２は、ガラスなどの透明な板で構成され、プラテンガラス１６２の上に載せられた原稿用紙４０からの反射光を透過させる。
つまり、スキャナヘッド１６０は、透明なプラテンガラス１６２を介して、プラテンガラス１６２上の原稿用紙４０から画像を読み取る。
その際、スキャナヘッド１６０は、矢印の方向に移動しながら、原稿用紙４０から画像を読み取り、原稿用紙４０に表示された原稿画像全体を読み取る。
【００６４】
ＩＣチップＩＦ２８は、図１２に示すようにプラテンカバー１６４が原稿用紙４０に係合しているときに、原稿用紙４０に付されたＩＣチップ３に対して、データの読出しおよびデータの書込みを行う。
【００６５】
図１３は、コピー装置１（画像処理プログラム５）の第３の動作（Ｓ１４）を示すフローチャートである。
なお、図１３に示した各処理の内、図８に示した処理と実質的に同一なものには、同一の符号が付してある。
【００６６】
図１３に示すように、コピー装置１の第３の動作においては、ステップ１２２（Ｓ１２２）の処理において、ユーザが、プラテンガラス１６２（図１１、図１２）の上に原稿用紙４０を置いて、プラテンカバー１６４（図１１、図１２）を閉めると、検知部５２０（図７）は、開閉センサ１６６（図１１、図１２）を制御して、プラテンカバー１６４が閉じたことを検知する。
検知部５２０は、プラテンカバー１６４が閉じたことを検知した時に、データ入出力部５３０に対してデータの読出しを行うよう指示する。
つまり、データ入出力部５３０は、プラテンカバー１６４が閉じた時に、ＩＣチップＩＦ２８を制御して、ＩＣチップ３からデータの読出しを開始する。
また、データ入出力部５３０は、プラテンカバー１６４が閉じていることを条件として、ＩＣチップＩＦ２８を制御して、ＩＣチップ３に対するデータの書込みを行う。
【００６７】
このように、プラテンカバー１６４にＩＣチップＩＦ２８およびアンテナ２８０を設けることは、ユーザが、プラテンカバー１６４を開閉し、手動で原稿用紙４０を画像読取位置に配置する場合に好適である。
【００６８】
【発明の効果】
以上説明したように、本発明にかかる画像処理システムおよびその方法によれば、記憶させたデータを非接触で読み取ることができる半導体チップを応用して、画像を処理することができる。
【図面の簡単な説明】
【図１】（Ａ）は、本発明にかかる画像処理方法においてコピー装置（図２を参照して後述）が画像を読み取る原稿用紙（画像表示部材）を例示し、（Ｂ）は、（Ａ）で例示した原稿用紙に基づいてコピー装置が印刷した印刷用紙４２を例示する図である。
【図２】コピー装置（画像処理装置）のハードウェア構成を、その制御装置を中心に例示する図である。
【図３】図２に示した第１のコピー装置本体のハードウェア構成を例示する図である。
【図４】図３に示した第１の原稿送り装置の構成をより詳細に説明する図である。
【図５】図１（Ａ）に示したＩＣチップの構成を示す図である。
【図６】図２、図３、図４に示したＩＣチップＩＦの構成を示す図である。
【図７】制御装置２（図２，図３）により実行され、本発明にかかる画像処理方法を実現する画像処理プログラムの構成を示す図である。
【図８】コピー装置（画像処理プログラム）の第１の動作（Ｓ１０）を示すフローチャートである。
【図９】第２の原稿送り装置の構成を説明する図である。
【図１０】コピー装置（認証・印刷プログラム）の第２の動作（Ｓ１２）を示すフローチャートである。
【図１１】第２のコピー装置本体の外観を説明する図である。
【図１２】図１１に示したコピー装置本体のプラテンカバーを閉めた場合のスキャナおよびプラテンカバーの縦断面を説明する図である。
【図１３】コピー装置（認証・印刷プログラム）の第３の動作（Ｓ１４）を示すフローチャートである。
【符号の説明】
１・・・コピー装置
１０、１０２・・・コピー装置本体
１２・・・用紙トレイ部
１４・・・プリントエンジン
１５・・・搬送路
１６・・・スキャナ
１６０・・・スキャナヘッド
１６２・・・プラテンガラス
１６４・・・プラテンカバー
１６６・・・開閉センサ
１８、１８０・・・原稿送り装置
１８２・・・原稿台
１８３・・・原稿留め
１８４・・・原稿検知センサ
１８６・・・紙送りローラ
１８８・・・搬送ローラ
２・・・制御装置
２０・・・制御装置本体
２０２・・・ＣＰＵ
２０４・・・メモリ
２２・・・通信装置
２４・・・記録装置
２４０・・・記録媒体
２６・・・ＵＩ装置
２８・・・ＩＣチップＩＦ
２８０・・・アンテナ
５・・・画像処理プログラム
５００・・・画像読取部
５１０・・・ＵＩ部
５２０・・・検知部
５３０・・・データ入出力部
５４０・・・画像処理部
５５０・・・印刷部
４０・・・原稿用紙
３，３４・・・ＩＣチップ
３００・・・アンテナ
３２０・・・クロック再生回路
３２２・・・メモリ回路
３２４・・・データ送受信回路
３２６・・・電源回路
３４０・・・暗号化部
４２・・・印刷用紙
【図１】
2004086708.tif 000003
【図２】
2004086708.tif 000004
【図３】
2004086708.tif 000005
【図４】
2004086708.tif 000006
【図５】
2004086708.tif 000007
【図６】
2004086708.tif 000008
【図７】
2004086708.tif 000009
【図８】
2004086708.tif 000010
【図９】
2004086708.tif 000011
【図１０】
2004086708.tif 000012
【図１１】
2004086708.tif 000013
【図１２】
2004086708.tif 000014
【図１３】
2004086708.tif 000015